(57)【要約】【課題】  回転アンテナを容易に取り出すことができる回転アンテナが自動的に弾き出す無線アダプターを提供する。【解決手段】  ケーシング４及びカバー５が含まれる。凸柱４１はケーシング４の一端に形成され、連接ポート４２が設けられている。置納溝４４はケーシング４の表面に設けられ、回転アンテナ４３が可動にケーシング４の他端に枢接されている。回転アンテナ４３は置納溝４４内に収納され、欠け口はケーシング４の表面の置納溝４４と交差する位置に設けられている。押し部４６は欠け口内に可動に取り付けられている。回転アンテナ４３が置納溝４４内に収納される場合、押し部４６は回転アンテナ４３によって欠け口内に押さえ込まれる。カバー５が凸柱４１上を蓋してケーシング４の外観と一体になったら、嵌止部５１が別の嵌止部４３１と嵌め付けられる。【選択図】    図２
0003102195.tif 000002
【実用新案登録請求の範囲】
【請求項１】
回転アンテナが自動的に弾き出される無線アダプターであって、それにはケーシング及びカバーが含まれ、
凸柱はケーシングの一端に形成され、それには連接ポートが設けられ、
置納溝はケーシングの表面に設けられ、
回転アンテナは可動にケーシングの他端に枢接され、回転アンテナは置納溝内に収納され、
欠け口はケーシングの表面の置納溝と交差する位置に設けられ、
押し部は欠け口内に可動に取り付けられ、押し部は平常は上向きに欠け口の外へ突き出して露出し、回転アンテナが置納溝内に収納される場合、押し部は回転アンテナによって欠け口内に押さえ込まれ、カバーが凸柱上を蓋してケーシングの外観と一体になったら、カバーに設けられている嵌止部は回転アンテナに設けられている別の嵌止部と嵌め付けられ、カバーが取り外された場合、押し部は上へ弾き出されて回転アンテナを押し動かし、それによって、回転アンテナは枢動を起こして置納溝から離脱することを特徴とする回転アンテナが自動的に弾き出す無線アダプター。
【請求項２】
押し部の中央個所には、置納溝と連通する溝が設けられ、溝の両側辺にはそれぞれ内部が中空である容置溝が設けられていることを特徴とする請求項１記載の回転アンテナが自動的に弾き出す無線アダプター。
【請求項３】
容置溝のケーシングに対面する相対側には、それぞれ嵌掛部が設けられ、二つの嵌掛部の間は容置溝の内部の開口に連通し、弾性部材は開口から容置溝内に取り付けられることを特徴とする請求項２記載の回転アンテナが自動的に弾き出す無線アダプター。
【請求項４】
欠け口とケーシングが互いに交差する両相対側には、それぞれ欠け口の中央に向かう当て片が延伸され、当て片の欠け口と隣接する両対応側片にはそれぞれ間隔部が設けられ、押し部が欠け口内に置かれた場合、それら嵌掛部は間隔部内に伸入し、かつ弾性部材の弾力を利用することによって、押し部を欠け口から押し出してケーシングの表面へ露出させ、嵌掛部はケーシングの内部に当て付けられ、押し部は欠け口の外へ弾み出さないことを特徴とする請求項３記載の回転アンテナが自動的に弾き出す無線アダプター。
【請求項５】
ケーシングの連接ポートに相対する一端の中央個所には、置納溝と連通する凹陥溝が設けられ、凹陥溝の底面はケーシングの両対応する表面と隣接し、回転アンテナを凹陥溝内に枢接した場合、凹陥溝に提供される回転空間によって、回転アンテナは置納溝内に収納されるだけでなく、置納溝から離れて外へ約２７０度回転することが可能であることを特徴とする請求項１記載の回転アンテナが自動的に弾き出す無線アダプター。
【請求項６】
回転アンテナとケーシングの連接個所には、円筒状に現れる回転軸が設けられ、ケーシング内には軸台が設けられ、回転軸が軸台に取り付けられると、回転アンテナはケーシング上でスムースに回転することが可能であることを特徴とする請求項１記載の回転アンテナが自動的に弾き出す無線アダプター。
【請求項７】
ケーシング内の回路板から延伸される信号線は、回転軸の中央から回転アンテナ内に伸入することが可能であり、それによって、信号線は回転アンテナに伴って回転し、より良い位置に於いて信号の受信及び発信を行うことが可能であることを特徴とする請求項６記載の回転アンテナが自動的に弾き出す無線アダプター。
【請求項８】
ケーシングには、互いに蓋することが可能である上ケーシングと下ケーシングとが含まれ、置納溝は上ケーシングの表面に設けられていることを特徴とする請求項１記載の回転アンテナが自動的に弾き出す無線アダプター。
【請求項９】
連接ポートは、通用型直列母線の介面仕様に符合する入力出力ポートであることを特徴とする請求項１記載の回転アンテナが自動的に弾き出す無線アダプター。
【請求項１０】
弾性部材は、ばねであることを特徴とする請求項３記載の回転アンテナが自動的に弾き出す無線アダプター。
【考案の詳細な説明】
【技術分野】
【０００１】
本考案は、無線アンテナのアダプターに関するもので、特に、ケーシングの一端がカバーで蓋され、他端に回転アンテナが枢接され、それによって、回転アンテナがケーシングの表面に設けられている置納溝内に収納された場合、カバーは連接ポートを蓋することができ、並びに、回転アンテナと互いに嵌め付け、カバーが取り外されると、ケーシングの表面に設けられている押し部によって上へ弾み出され、同時に回転アンテナを押し動かし、回転アンテナは枢動が起こって置納溝から離脱し、こうすれば、回転アンテナは容易によりよい信号の受信位置へ廻される。
【背景技術】
【０００２】
現在の世界はすでに情報が盛んに発展する新しい紀元に進入しており、各種コンピュータ技術から派生する情報ネットワーク設備は極めて迅速に発展し、我々の生活とは密接な関連があって分離不能になり、特に、無線アダプターの応用は我々の生活の中で重要な地位を占め、そのために、各コンピュータメーカは無線アダプターの構造設計に対して絶えず研究開発を行っており、言うまでもなく、未来のネットワーク関連設備が人々により便利で、より効率的に全方向のサービスを提供することができるかは、すでに各国の情報技術が他国をリードすることができるかを評価する重要な指標の一つであると言える。
【０００３】
一般的に、もし単純にコンピュータの間で互いに情報を交換する場合、無線ネットワークカードをコンピュータに差し込むだけでよく、ノートブック型コンピュータで言えば、ＰＣＭＣＩＡ介面を信号伝送介面としており、卓上型コンピュータではＰＣＩ介面を信号伝送介面としている。ところが、ノートブック型コンピュータまたは卓上型コンピュータにＰＣＭＣＩＡ介面の差し込みスロットまたはＰＣＩ介面の差し込みスロットが設けられていない場合、そのノートブック型コンピュータまたは卓上型コンピュータは無線ネットワークカードを挿入することができず、そのために、ネットワーク製品の製造メーカはＵＳＢ介面を信号伝送介面とした無線ネットワークカードを開発し、これはノートブック型コンピュータまたは卓上型コンピュータのＵＳＢ介面であり、それの拡張法は簡単で、ＵＳＢ介面の無線ネットワークカードを直接遊休のＵＳＢ差し込みスロットに挿入し、並びに、ノートブック型コンピュータまたは卓上型コンピュータに無線ネットワークカードのドライブソフトウェアを取り付けるだけで、簡単に無線オンラインを擁有することができる。
【０００４】
一般の無線製品がより良い信号の受発信能力を持つようにするため、通常は無線製品に角度調整ができるアンテナを設け、例えば、明基通電股?有限公司型番：ＡＷＬ４００または可瑞加科技股?有限公司型番：ＣＧ−ＷＬＵＳＢＳＴ１１の携帯型ＵＳＢ無線ネットワークカードであり、それら二種類の無線ネットワークカードはそれぞれ違う構造を持ち、アンテナの角度を調整する目的を達成する。
【０００５】
可瑞加科技股?有限公司型番：ＣＧ−ＷＬＵＳＢＳＴ１１の携帯型ＵＳＢ無線ネットワークカードで言えば、第１図を参照ください。それにはケーシング１が設けられ、ケーシング１の一端には電子装置へ接続されるコネクター１１が設けられており、他端は回転アンテナ２の一端と一緒に枢接され、回転アンテナ２の他端には円弧面２０が設けられており、円弧面２０には凹陥部２１が設けられ、かつケーシング１に対面する面のケーシング１の他端に接近する位置には凸塊２２が設けられており、ケーシング１の一表面には回転アンテナ２の取り付けに供される置納溝１２が設けられ、置納溝１２内のケーシング１の他端に接近する位置には弾み片１３が設けられており、また、ケーシング１の置納溝１２とコネクター１１との間にはストッパー３が設けられており、ストッパー３にはケーシング１の表面から突き出す押し部３１が設けられ、それの置納溝１２に対面する一端には置納溝１２内に伸入する嵌止部３２が設けられ、かつストッパー３がケーシング１に伸入する部分は弾性部材３３に連結されている。
【０００６】
回転アンテナ２が置納溝１２内に押し込まれる過程に於いて、回転アンテナ２の円弧面２０は先ず嵌止部３２を押し付け、嵌止部３２はケーシング１に向かって縮入し、嵌止部３２が円弧面２０を離脱した後、嵌止部３２は弾性部材３３の弾力によって凹陥部２１内に伸入し、かつ凸塊２２は丁度弾み片１３を当て押さえ、このように押し部３１が押し動かされると、嵌止部３２は凹陥部２１から離脱し、並びに、弾み片１３の弾力によって凸塊２２を押し動かし、更に進んで、回転アンテナ２はストッパー３の制限から離脱し、置納溝１２と互いに分離する。
【０００７】
ところが、押し部３１の体積が小さいので、使用者の押し動かしに不利であり、もし回転アンテナ２が容易に置納溝１２から分離できるものを開発し、使用者の操作を更に完全になるように設計すれば、消費者は喜んでそれを受け入れると思う。
【考案の開示】
【考案が解決しようとする課題】
【０００８】
本考案の目的は、無線アダプターが使用された場合、それに収納された回転アンテナを容易に取り出すことができることで、それの主要技術は無線アダプターの一端に凸柱が設けられ、凸柱には連接ポートが設けられており、ケーシングの他端には回転アンテナが可動に枢接され、回転アンテナはケーシングの表面に設けられている置納溝内に収納することができ、また、ケーシングの表面には置納溝と交差する欠け口が設けられ、欠け口内には押し部が可動に設けられ、押し部は平常は上向きに欠け口の外へ突き出して露出しており、回転アンテナが置納溝内に収納された場合、押し部は丁度回転アンテナによって欠け口内に押さえ込まれ、カバーが凸柱上を蓋すると、カバーに設けられている嵌止部は丁度回転アンテナに設けられている別の嵌止部と嵌め付けられ、回転アンテナは置納溝内に収納される。
【０００９】
本考案のもう一つの目的は、カバーが取り外された場合、押し部は上へ弾き出されて回転アンテナを押し動かし、それによって、回転アンテナは枢動を起こして置納溝から離脱し、このように、使用者は回転アンテナをより良い信号の受信角度に押し回すことができる。
【課題を解決するための手段】
【００１０】
本考案は、回転アンテナが自動的に弾き出す無線アダプターの一種で、それにはケーシングおよびカバーが含まれ、凸柱はケーシングの一端に形成され、それには連接ポートが設けられ、置納溝はケーシングの表面に設けられ、回転アンテナは可動にケーシングの他端に枢接され、回転アンテナはちょうど置納溝内に収納され、欠け口はケーシングの表面の置納溝と交差する位置に設けられ、押し部は欠け口内に可動に取り付けられ、押し部は平常は上向きに欠け口の外へ突き出して露出し、回転アンテナが置納溝内に収納される場合、押し部は丁度回転アンテナによって欠け口内に押さえ込まれ、カバーが凸柱上を蓋してケーシングの外観と一体になったら、カバーに設けられている嵌止部は丁度回転アンテナに設けられている別の嵌止部と嵌め付けられ、カバーが取り外された場合、押し部は上へ弾き出されて回転アンテナを押し動かし、それによって、回転アンテナは枢動を起こして置納溝から離脱することを特徴とする。
【考案を実施するための最良の形態】
【００１１】
本考案は、回転アンテナが自動的に弾き出す無線アダプターに関するもので、図２および図３図に示す如く、その一実施例によると、ケーシング４およびカバー５が設けられ、ケーシング４の一端には凸柱４１が形成され、凸柱４１には連接ポート４２が設けられており、ケーシング４の他端には回転アンテナ４３が可動に枢接され、回転アンテナ４３はケーシング４の表面に設けられている置納溝４４内に収納することができ、また、ケーシング４の表面には置納溝４４と交差する欠け口４５か設けられ、欠け口４５内には押し部４６が可動に設けられ、押し部４６は平常は欠け口４５からケーシング４の表面に露出しており、回転アンテナ４３が置納溝４４内に収納された場合、押し部４６は丁度回転アンテナ４３に欠け口４５内に押さえ込まれ、カバー５が凸柱４１の上を蓋してケーシング４の外観と一体になった場合、カバー５に設けられている嵌止部５１は丁度回転アンテナ４３に設けられている別の嵌止部４３１に嵌め付けられる。
【００１２】
以上の完璧な構造設計により、使用者が無線アダプターを使用する場合、カバー５を取り外すだけで、嵌止部５１と別の嵌止部４３１との間の嵌め付け状態を解除することができ、このとき、押し部４６は上へ弾み出して回転アンテナ４３を押し動かし、それによって、回転アンテナ４３は枢動を起こして置納溝４４から離脱し、こうすれば、使用者は無線アダプターの連接ポート４２をコンピュータ（例えば、ノートブック型コンピュータ）のコネクターに挿入することができ、並びに、指で回転アンテナ４３を回し、適当な信号受信角度へ調整することができる。
【００１３】
図３および図４を参照ください。本考案の最適実施例に於いて、押し部４６の中央個所には置納溝４４と連通する溝４６１が設けられ、溝４６１の両側辺にはそれぞれ内部が中空である容置溝４６２が設けられており、容置溝４６２のケーシング４に対面する相対側にはそれぞれ嵌掛部４６３が設けられ、各嵌掛部４６３の間は容置溝４６２の内部の開口４６４に連通し、それによって、弾性部材４６５は開口４６４から容置溝４６２内に取り付けられる。また、欠け口４５とケーシング４とが互いに交差する両相対側にはそれぞれ欠け口４５の中央に向かう当て片４５１が延伸され、当て片４５１の欠け口４５と隣接する両対応側片にはそれぞれ間隔部４５２が設けられており、それによって、押し部４６が欠け口４５内に置かれた場合、それら嵌掛部４６３を間隔部４５２内に伸入することができ、そうすると、押し部４６は弾性部材４６５の弾力の利用によって、欠け口４５からケーシング４の表面へ露出し、並びに、嵌掛部４６３によってケーシング４の表面に当て付けられ、そのために、押し部４６は欠け口４５の外へ弾み出さないようになる。
【００１４】
そこで、回転アンテナ４３を置納溝４４と溝４６１に平らに置き、カバー５が連接ポート４２を蓋し、かつ嵌止部５１と別の嵌止部４３１が一緒に連接された場合、押し部４６は弾性部材４６５の弾力によって回転アンテナ４３に押す力を施すが、この時、押し部４６は嵌止部５１と別の嵌止部４３１がまだ一緒に連結されている状態に制限され、押し部４６は回転アンテナ４３を押し動かすことができない。ところが、カバー５をケーシング４から取り外すと、押し部４６は直ちに弾性部材４６５の弾力によって回転アンテナ４３を外へ押し出すことができる。
【００１５】
図２および図３を参照ください。本考案のもう一つの最適実施例に於いて、ケーシング４の連接ポート４２に相対する一端の中央個所には置納溝４４と連通する凹陥溝４７が設けられ、凹陥溝４７の底面はケーシング４の両対応する表面と隣接し、それによって、回転アンテナ４３を凹陥溝４７内に枢接した場合、凹陥溝４７に提供される回転空間によって、回転アンテナ４３は置納溝４４内に収納されるだけでなく、かつ置納溝４４から離れて外へ約２７０度回転することができ、このように、回転アンテナ４３の回転角度が大きくなると、電子装置（例えば、ノートブック型コンピュータ）のコネクターの取り付け方向に制限されず、より良い信号の受信効果が得られる。
【００１６】
図２を参照ください。回転アンテナ４３は信号の受信効果を増やす役目を担っているので、如何にしてケーシング４内の信号線４９１を回転アンテナ４３内に延伸し、かつ回転アンテナ４３の回転によって信号線４９１が引き切られないことも本考案が解決する問題であり、それ故に、本実施例に於いて、回転アンテナ４３とケーシング４の連接個所には円筒状に現れる回転軸４３２が設けられ、ケーシング４内には軸台４８が設けられており、回転軸４３２が軸台４８に取り付けられると、回転アンテナ４３はケーシング４上でスムースに回転することができる。この外、ケーシング４内の回路板４９から延伸される信号線４９１は回転軸４３２の中央から回転アンテナ４３内に伸入することができ、このように、信号線４９１は回転アンテナ４３に伴って回転し、より良い位置に於いて信号の受信および発信を行うことができる。
【００１７】
上記部材により、回転アンテナ４３とカバー５との間は嵌止部５１と別の嵌止部４３１との分離と結合によって、回転アンテナ４３が回転するかを制限または釈放することができ、それで、使用者は便利で簡単な方法をもって回転アンテナ４３を置納溝４４の位置に平らに置くことができ、伝統的無線ネットワークが押し部を操作するのが難しい問題を解決する。また、回転アンテナ４３はケーシング４と隣接する別の表面位置へ回すことができ、伝統的回転アンテナ４３がコンピュータに取り付けられると、回転アンテナ４３は空に向けられない欠点を効果的に解決することができる。
【００１８】
図３を参照ください。本考案の実施例に於いて、ケーシング４には互いに蓋することができる上ケーシング４０１と下ケーシング４０２とが含まれ、置納溝４４は上ケーシング４０１の表面に設けられ、また、連接ポート４２は通用型直列母線（Universal  Serial  Bus、略してＵＳＢと称す）の介面仕様に符合する入力出力ポート（Input／Output  port、略してＩ／Ｏ  portと称す）でもよく、弾性部材４６５はばねでよい。
【図面の簡単な説明】
【００１９】
【図１】従来の携帯型ＵＳＢ無線ネットワークカードの断面図である。
【図２】本考案の一実施例による回転アンテナが自動的に弾き出す無線アダプターの斜視図である。
【図３】本考案の一実施例による回転アンテナが自動的に弾き出す無線アダプターの分解斜視図である。
【図４】本考案の一実施例による回転アンテナが自動的に弾き出す無線アダプターの断面図である。
【符号の説明】
【００２０】
４  ケーシング、５  カバー、４１  凸柱、４２  連接ポート、４３  回転アンテナ、４４  置納溝、４５  欠け口、４６  押し部、４７  凹陥溝、４８  軸台、４９  回路板、５１  嵌止部、４０１  上ケーシング、４０２  下ケーシング、４３１  別の嵌止部、４３２  回転軸、４５１  当て片、４５２  間隔部、４６１  溝、４６２  容置溝、４６３  嵌掛部、４６４  開口、４６５  弾性部材、４９１  信号線
【図１】
0003102195.tif 000003
【図２】
0003102195.tif 000004
【図３】
0003102195.tif 000005
【図４】
0003102195.tif 000006